(57)【要約】本発明は、潅水作業を簡便に実施し得、さらに、給水配管工事を別途必要とせず、建物の屋上のような床面に勾配のある場所においても、植物に対して均等に水を供給することが可能な植物栽培ユニットを提供することを目的とする。植物の根部を収容し得る受部３をその内部に配置可能で且つ水を貯水可能な貯水トレー２を備え、貯水トレー２内の貯水空間８と受部３とが給水部７により連通しており、貯水空間８に貯水された水が、給水部７を介して植物に供給され得る植物栽培ユニット１であって、貯水トレー２には、隣接する貯水トレー２を互いに連通接続することが可能な接続部６が設けられ、接続部６は、流入用接続部６ａと流出用接続部６ｂとから構成されており、水は、流入用接続部６ａから貯水空間８に流入し、貯水空間８に所定量の水が貯まると、オーバーフローによって流出用接続部６ｂから流出し得る植物栽培ユニット。
2007063815.tif 000002
【特許請求の範囲】
【請求項１】
植物の根部を収容し得る少なくとも一つの受部をその内部に配置可能で且つ水を貯水可能な貯水トレーを備え、前記貯水トレー内の貯水空間と前記受部とが少なくとも一つの給水部により連通しており、前記貯水空間に貯水された水が、前記給水部を介して前記植物に供給され得る植物栽培ユニットであって、
前記貯水トレーには、隣接する前記貯水トレーを互いに連通接続することが可能な接続部が設けられ、前記接続部は、少なくとも一つの流入用接続部と少なくとも一つの流出用接続部とから構成されており、前記水は、前記流入用接続部から前記貯水空間に流入し、前記貯水空間に所定量の水が貯まると、オーバーフローによって前記流出用接続部から流出し得る植物栽培ユニット。
【請求項２】
前記受部が凹形状であり、その底部には、前記給水部として機能し得る貫通口が設けられており、尚且つ前記底部は、前記貯水空間に水を貯水した際にとり得る最大水位よりも低位置にある請求項１に記載の植物栽培ユニット。
【請求項３】
前記受部が、前記貯水トレーに複数設けられており、前記複数の受部同士の間にトレー上げ底部を形成した請求項１又は２に記載の植物栽培ユニット。
【請求項４】
前記貯水トレーの上方を覆うカバー部を備える請求項１〜３のいずれか１項に記載の植物栽培ユニット。
【請求項５】
前記受部と前記カバー部とが一体成形体であって、前記一体成形体と前記貯水トレーとが分離自在に構成されている請求項４に記載の植物栽培ユニット。
【請求項６】
前記一体成形体が、水面に浮揚し得るフロート部を備えている請求項５に記載の植物栽培ユニット。
【請求項７】
ブロー成形によって製造されたものである請求項６に記載の植物栽培ユニット。
【請求項８】
前記フロート部は、中空状に形成してあり、そのフロート部の内部空間を外部に連通する開口部を設け、その開口部を閉塞する蓋部材を着脱自在に設けてある請求項６又は７に記載の植物栽培ユニット。
【請求項９】
前記カバー部を複数横方向に並べた状態で、隣接するもの同士を互いに連結可能とする連結部を前記カバー部に備えてあり、一側部に設けた少なくとも一つの前記連結部と他側部に設けた少なくとも一つの前記連結部とで上下方向に異なる位置に夫々配置して、横方向に隣接する前記カバー部の前記連結部同士を上下に重ね合わせた状態で前記カバー部同士を連結可能に構成してある請求項４〜８のいずれか１項に記載の植物栽培ユニット。
【請求項１０】
壁に取付け可能な取付け部を備える請求項１〜４のいずれか１項に記載の植物栽培ユニット。
【請求項１１】
請求項１０に記載の植物栽培ユニットにおいて、その植物栽培ユニットの外表面を覆う保護カバー部材を備える植物栽培ユニット。
【請求項１２】
植物の根部を収容し得る少なくとも一つの受部を備え、前記受部に連通する少なくとも一つの給水部を設けて、その給水部を介して前記植物に給水自在にしてある植物栽培容器であって、
前記給水部として機能し得る貫通口を前記受部の底部に設けると共に、水面に浮揚し得る少なくとも一つのフロート部を備え、前記フロート部によって水面に浮揚させた状態で前記受部の底部が水面よりも低位置になるように構成してある植物栽培容器。
【請求項１３】
請求項１２に記載の植物栽培容器において、その植物栽培容器の容器本体の縁部が前記受部の底部よりも低位置となるように構成してある植物栽培容器。
【請求項１４】
前記フロート部は、中空状に形成してあり、そのフロート部の内部空間を外部に連通する開口部を設け、その開口部を閉塞する蓋部材を着脱自在に設けてある請求項１２又は１３に記載の植物栽培容器。
【請求項１５】
請求項１２〜１４のいずれかに記載の植物栽培容器において、その植物栽培容器の容器本体を複数横方向に並べた状態で、隣接するもの同士を互いに連結可能とする連結部を前記容器本体に備えてあり、一側部に設けた少なくとも一つの前記連結部と他側部に設けた少なくとも一つの前記連結部とで上下方向に異なる位置に夫々配置して、横方向に隣接する前記容器本体の前記連結部同士を上下に重ね合わせた状態で前記容器本体同士を連結可能に構成してある植物栽培容器。
【発明の詳細な説明】
【技術分野】
【０００１】
本発明は、植物の根部を収容し得る受部をその内部に配置可能で且つ水を貯水可能な貯水トレーを備え、前記貯水トレー内の貯水空間と前記受部とが給水部により連通しており、前記貯水トレーに貯水された水が、前記給水部を介して前記植物に供給され得る植物栽培ユニットに関する。
【背景技術】
【０００２】
近年、ヒートアイランド現象（都市部の気温が郊外に比べて島状に高くなる現象）という、都市部（東京、大阪、名古屋等）特有の環境問題が、熱帯夜の増加や局所的集中豪雨の発生など、都市部に住む人々の生活に様々な影響を及ぼし得るとして大きな問題となっている。
これまでに日本国政府は、ヒートアイランド現象に対する対策をより一層適切に推進するために、ヒートアイランド対策関係府省連絡会議を設置し、ヒートアイランド対策大綱を策定している。
大網に記載されるヒートアイランド現象の対応策の一つとして、「緑地・水面の減少、建築物や舗装などによって地表面が覆われることによる蒸発散作用の減少や地表面の高温化を防ぐために地表面被覆の改善を図る」という目的の下、固定資産税における課税の特別措置や補助金の拠出等によって、民間建築物等の敷地や官庁施設等の屋上の緑化を推進している。
一方、そうした緑化対策を実施するために、一般的に実施されている方法としては、敷地や屋上に、適当な土壌（屋上の場合は軽量土壌）を収容したプランターを複数用意し、そのプランターで植物を栽培するといった方法が挙げられる。またその他にも、植物を植えたプランターに対して常時自動的に水分供給可能な植物栽培装置（特許文献１参照）を使用する方法が知られている。
【特許文献１】特開平１０−１１３０８１号公報
【発明の開示】
【発明が解決しようとする課題】
【０００３】
しかしながら、複数のプランターを用意して植物を栽培する従来の方法では、敷地や屋上の面積が広ければ広いほど、用意しなければならないプランター（つまり植物の数）も多くなり、その潅水が非常に手間のかかる作業であった。例えば、栽培する植物によっては、少しでも水分が不足すると、葉焼けや落葉を生じ易く、更に不足すると枯れてしまう場合もある。また逆に、土壌中の水分が多すぎると、根が酸素不足になって、根腐れを起こす虞がある。そのため、そうした潅水（水管理）を造園業者等に依頼しなければならない場合も多く、人件費などのコスト高になる問題が生じていた。
そこで、特許文献１に記載されるように、そうした煩雑な潅水作業について、人手を必要とせず自動的に実施し得る植物栽培装置が提案されている。この植物栽培装置は、植木鉢（プランター）を載置し得る水溜容器と、給水管が接続される自動潅水装置とから構成されており、その自動潅水装置によって、水溜容器の水位を一定に保つことが可能となっている。しかしながら、この植物栽培装置は、水溜容器に水を供給するための給水配管工事が別途必要となるため、施工性が悪く、設備コストの増大をも招来し得る。
尚、特許文献１には、そうした給水配管工事を簡略化するため、複数の水溜容器を相互に連通して、その中の一つの水溜容器にのみ自動潅水装置を設けるような構成とすることが可能であることも記載されている。しかしながら、屋上の床面は、排水性を良くするために、例えば、床面の中央部が少し盛り上がるように勾配を設けていることが多い。そのため、複数の水溜容器を屋上の床面に配置して、それらに均等に水を供給しようとしても、床面が平らでないために各水溜容器の水位を一定に保つことが困難であり（例えば、床面の中央部が少し盛り上がるような勾配を設けている場合、床面の中央部近くに配置された水溜容器ほど、その水位が浅くなる）、水溜容器間で給水ムラが生じ、植物の生育に支障をきたす虞がある。
本発明は、上記実情に鑑みてなされたものであって、潅水作業を簡便に実施し得、さらに、給水配管工事を別途必要とせず、建物の屋上のような床面に勾配のある場所においても、植物に対して均等に水を供給することが可能な植物栽培ユニットを提供するものである。
【課題を解決するための手段】
【０００４】
本発明の第１特徴構成は、植物の根部を収容し得る少なくとも一つの受部をその内部に配置可能で且つ水を貯水可能な貯水トレーを備え、前記貯水トレー内の貯水空間と前記受部とが少なくとも一つの給水部により連通しており、前記貯水空間に貯水された水が、前記給水部を介して前記植物に供給され得る植物栽培ユニットであって、前記貯水トレーには、隣接する前記貯水トレーを互いに連通接続することが可能な接続部が設けられ、前記接続部は、少なくとも一つの流入用接続部と少なくとも一つの流出用接続部とから構成されており、前記水は、前記流入用接続部から前記貯水空間に流入し、前記貯水空間に所定量の水が貯まると、オーバーフローによって前記流出用接続部から流出し得る植物栽培ユニットである点にある。【０００５】
〔作用及び効果〕
本発明の植物栽培ユニットに備えられている貯水トレーには、隣接する貯水トレーを互いに連通接続することが可能な接続部（流入用接続部及び流出用接続部）が設けられているので、本発明の植物栽培ユニットを互いに複数連結することが可能である。そのため、緑化する建物の敷地や屋上に本発明の植物栽培ユニットを設置する際、その数や接続の仕方を適当に調整することによって、建物の敷地や屋上の広さ又はその形状、あるいは中に通路を設ける等といった種々の設置条件に合わせて緑化を実施することができる。
さらに、本発明の植物栽培ユニットに供給される水は、流入用接続部から貯水トレー内の貯水空間に流入し、貯水空間に所定量の水が貯まると、オーバーフローによって流出用接続部から流出するように構成されている。そして、貯水空間に貯水された水（以下、貯留水と称する）は、貯水空間と植物の根部を収容し得る受部とを連通する給水部を介して植物に供給される。
従って、本発明の植物栽培ユニットは、給水配管工事を別途必要とせず、上述のように接続部を介して複数の植物栽培ユニットを連通接続し、その中の一つの植物栽培ユニットに水を供給しさえすれば、オーバーフローによって自動的に他の全ての植物栽培ユニット（貯水トレー）に水を供給（貯水）することが可能であり、各貯水トレーに貯水された水（貯留水）は、給水部を介して、受部に収容された植物に供給され得る。
またさらに、接続部（流入用接続部及び流出用接続部）を貯水トレーの適当な高さに設置することによって、貯留水の水位（貯水量）を調整することも可能であるため、栽培する植物に合わせて適切な量の水を常時供給することも可能であり、適切な潅水作業が自動的に実施され得る。その上、オーバーフローによって他の植物栽培ユニットの貯水トレーに水が供給されるので、各貯水トレーの貯留水の水位は、設置場所の状態（例えば、建物の屋上のような勾配のある床面等）によらず常に一定水位を保つことが可能であり、その結果、植物栽培ユニット間の給水ムラも防止することができる。【０００６】
本発明の第２特徴構成は、前記受部が凹形状であり、その底部には、前記給水部として機能し得る貫通口が設けられており、尚且つ前記底部は、前記貯水空間に水を貯水した際にとり得る最大水位よりも低位置にある点にある。【０００７】
〔作用及び効果〕
受部が凹形状であるため、植物を収容・固定し易い。さらに、その受部の底部には、給水部として機能し得る貫通口が設けられており、尚且つその底部は、貯水空間に水を貯水した際にとり得る最大水位よりも低位置にあるため、貯水空間を常にオーバーフローさせて、貯水空間一杯に水を貯水するようにすれば、水が貫通口から受部に常時浸入し得、植物への給水が確実に実施され得る。従って、本発明を水耕栽培に適用することも可能である。【０００８】
本発明の第３特徴構成は、前記受部が、前記貯水トレーに複数設けられており、前記複数の受部同士の間にトレー上げ底部を形成した点にある。【０００９】
〔作用及び効果〕
受部が、貯水トレーに複数設けられているので、一つの植物栽培ユニット内に複数の植物を同時に栽培することが可能である。さらに、複数の受部同士の間にトレー上げ底部を形成しているので、必要最小限の貯水空間を設けることによって、使用する水を節約することが可能となる。【００１０】
本発明の第４特徴構成は、前記貯水トレーの上方を覆うカバー部を備える点にある。【００１１】
〔作用及び効果〕
貯水トレーの上方を覆うカバー部を備えるので、遮光効果による貯留水中での藻類の発生防止や、貯留水へのゴミ混入を防止することが可能である。その結果、貯留水が汚れ難く、水の流れる接続部での目詰まりなどを防止することができる。さらに、カバー部によって、本発明の植物栽培ユニットの断熱効果がさらに高められ、貯留水の水温の極端な上昇又は低下を防止して、植物のより良好な生育を促すことができる。またさらに、貯留水の蒸発を低減することが可能であり、節水効果も期待される。【００１２】
本発明の第５特徴構成は、前記受部と前記カバー部とが一体成形体であって、前記一体成形体と前記貯水トレーとが分離自在に構成されている点にある。
〔作用及び効果〕
受部とカバー部とが一体成形体であって、その一体成形体と貯水トレーとが分離自在に構成されているので、例えば、一体成形体と貯水トレーとをそれぞれ分離し、清掃等を個別に実施することが可能であり、メンテナンスがし易い。その上、この一体成形体を植物の移送用トレーや交換用トレーとして使用することも可能であるため、例えば、複数の植物栽培ユニットの中に枯れてしまった植物を有する植物栽培ユニットがある場合、その枯れてしまった植物を収容している一体成形体を植物栽培ユニットからそれごと取り外して、正常な植物を収容する替わりの一体成形体と交換すれば、土等で手を汚さずとも簡単に植物を取り替えることができる。【００１３】
本発明の第６特徴構成は、前記一体成形体が、水面に浮揚し得るフロート部を備えている点にある。【００１４】
〔作用及び効果〕
一体成形体が、水面に浮揚し得るフロート部を備えているため、貯水トレーを使用せずとも、植物を収容した一体成形体をそのまま適当な水槽（例えば、中庭の池など）あるいは池や川、湖などに浮かべて、植物を栽培することができる。また、フロート部によって、空気を閉じ込めた空間が形成されるので、一体成形体の断熱効果がより一層高くなり得る。【００１５】
本発明の第７特徴構成は、ブロー成形によって製造されたものである点にある。【００１６】
〔作用及び効果〕
ブロー成形によって製造する場合の方が、射出成形によって製造する場合と比べて、より安価且つ簡便に製造することが可能である。特に、ブロー成形技術は、パイプ構造を容易に成形することができるので、接続部の成形に好適である。【００１７】
本発明の第８特徴構成は、前記フロート部は、中空状に形成してあり、そのフロート部の内部空間を外部に連通する開口部を設け、その開口部を閉塞する蓋部材を着脱自在に設けてある点にある。【００１８】
〔作用及び効果〕
植物栽培ユニットを床面に設置して使用する場合には、フロート部の内部空間に水や砂などを注入して蓋部材にて開口部を閉塞することによって、フロート部を備えた一体成形体を錘として利用することができる。従って、屋上などに設置した場合には、風などによる一体成形体の移動や転倒を抑制できる。そして、蓋部材を取り外して注入した水や砂などを開口部から取り除くことができるので、一体成形体を錘として利用できながら、一体成形体の持ち運びを簡易に行うことができる。
また、フロート部の内部空間に空気を充填して蓋部材にて開口部を閉塞するだけで、一体成形体を池や川、湖などに浮かべて使用することができる。
従って、植物栽培ユニットを床面に設置して使用する場合にも、一体成形体を池や川、湖などに浮かべて使用する場合にも、フロート部の内部空間を有効に活用して、利便性の向上を図ることができる。【００１９】
本発明の第９特徴構成は、前記カバー部を複数横方向に並べた状態で、隣接するもの同士を互いに連結可能とする連結部を前記カバー部に備えてあり、一側部に設けた少なくとも一つの前記連結部と他側部に設けた少なくとも一つの前記連結部とで上下方向に異なる位置に夫々配置して、横方向に隣接する前記カバー部の前記連結部同士を上下に重ね合わせた状態で前記カバー部同士を連結可能に構成してある点にある。【００２０】
〔作用及び効果〕
連結部により横方向に隣接するカバー部同士を連結して複数のカバー部を一体的に連結して使用できる。そして、横方向に隣接するカバー部同士を連結するときには、連結部同士を上下に重ね合わせるだけで連結することができ、連結作業の簡素化を図ることができる。また、連結部は、横方向の一側部と他側部のもの同士で上下方向に異なる位置に配置してあるので、横方向の一側部では隣接するカバー部の連結部よりも上側になるように連結部同士を重ね合わせ、且つ、横方向の他側部では隣接するカバー部の連結部よりも下側になるように連結部同士を重ね合わせて、カバー部同士を連結することにより、上下方向における各カバー部の位置を合わせることができる。
そして、受部とカバー部との一体成形体を池や川、湖などに浮かべて使用する場合には、上下方向における各一体成形体の位置を合わせて複数の一体成形体を連結して複数の一体成形体を一体的に浮かべることができ、特に池や川、湖などに浮かべて使用する場合に有用なものとなる。【００２１】
本発明の第１０特徴構成は、壁に取付け可能な取付け部を備える点にある。
〔作用及び効果〕
本発明の植物栽培ユニットは、壁に取付け可能な取付け部を備えているので、建物の敷地や屋上の床面（平面方向）だけでなく、それらの壁面（縦方向）をも緑化することが可能となる。【００２２】
本発明の第１１特徴構成は、第１０特徴構成における植物栽培ユニットの外表面を覆う保護カバー部材を備える点にある。
〔作用及び効果〕
植物栽培ユニットの外表面が、保護カバー部材によって覆われているので、屋外条件（紫外線、熱、風雨など）に対する植物栽培ユニットの耐候性を向上させることができる。【００２３】
本発明の第１２特徴構成は、植物の根部を収容し得る少なくとも一つの受部を備え、前記受部に連通する少なくとも一つの給水部を設けて、その給水部を介して前記植物に給水自在にしてある植物栽培容器であって、前記給水部として機能し得る貫通口を前記受部の底部に設けると共に、水面に浮揚し得る少なくとも一つのフロート部を備え、前記フロート部によって水面に浮揚させた状態で前記受部の底部が水面よりも低位置になるように構成してある植物栽培容器である点にある。【００２４】
〔作用及び効果〕
植物栽培容器を建物の屋上のような床面に設置して使用する場合には、貯水トレーなど貯水可能な貯水部材を床面に設置して、貯水部材にて貯水している貯水空間と受部とを貫通口にて連通するように植物栽培容器を貯水部材に装着することができる。この場合には、貯水部材に貯水している水が、受部の底部に設けている貫通口を通して受部に収納した植物の根部に供給される。従って、植物栽培容器を建物の屋上のような床面に設置して植物を栽培できる。
そして、植物栽培容器はフロート部を備えているので、池や川、湖などに植物栽培容器を浮かべると、フロート部の浮力によって、植物栽培容器は受部の底部が池や川、湖などの水面よりも低位置になるように浮揚することになる。この場合には、池や川、湖などの水が、受部の底部に設けている貫通口を通して受部に収納した植物の根部に供給される。従って、植物栽培容器を池や川、湖などに浮かべて植物を栽培できる。
このように、受部及びフロート部を有する植物栽培容器によって、建物の屋上のような床面に設置して使用する場合にも、池や川、湖などに浮かべて使用する場合にも、一つの植物栽培容器にて対応することができる。従って、植物栽培容器の利用範囲を広げることができ、利便性の向上を図ることができる。
ちなみに、従来の植物栽培容器は、建物の屋上のような床面に設置して使用する床面設置専用のもの、又は、池や川、湖などに浮かべて使用する浮揚専用のものであった。床面設置専用の植物栽培容器では、池や川、湖などに浮かべて使用する場合に対応することができない。逆に、浮揚専用の植物栽培容器では、建物の屋上のような床面に設置して使用する場合に対応できない。従って、従来の植物栽培容器では、利用範囲が限られており、不便なものであった。【００２５】
本発明の第１３特徴構成は、第１２特徴構成における植物栽培容器の容器本体の縁部が前記受部の底部よりも低位置となるように構成してある点にある。【００２６】
〔作用及び効果〕
植物栽培容器の容器本体の縁部が受部の底部よりも低位置であるので、受部の底部の下方に空間を形成することができる。そして、植物栽培容器を床面に設置して使用する場合には、その下方空間に貯水トレーなどの貯水部材を配置させることができる。従って、植物栽培容器をコンパクトに設置することができる。さらに、その下方空間を利用して通気や排水を行うことも可能となるので、通気性及び排水性を良好にできる。
また、受部の底部よりも低位置である容器本体の縁部までフロート部を設けることができるので、フロート部により得られる浮力をより大きくできる。従って、植物栽培容器を池や川、湖などに浮かべて使用する場合には、受部に収納する植物が池や川、湖などの貯留水に浸かり過ぎるのを抑制でき、植物の栽培を良好に行うことができる。さらに、容器本体の縁部まで活用できることから、フロート部の大きさを調整することによりフロート部により得られる浮力を調整して、植物に供給する水量を適切な量に調整できる。【００２７】
本発明の第１４特徴構成は、前記フロート部は、中空状に形成してあり、そのフロート部の内部空間を外部に連通する開口部を設け、その開口部を閉塞する蓋部材を着脱自在に設けてある点にある。【００２８】
〔作用及び効果〕
植物栽培容器を床面に設置して使用する場合には、フロート部の内部空間に水や砂などを注入して蓋部材にて開口部を閉塞することによって、容器本体を錘として利用することができる。従って、屋上などに設置した場合には、風などによる植物栽培容器の移動や転倒を抑制できる。そして、蓋部材を取り外して注入した水や砂などを開口部から取り除くことができるので、容器本体を錘として利用できながら、植物栽培容器の持ち運びを簡易に行うことができる。
また、フロート部の内部空間に空気を充填して蓋部材にて開口部を閉塞するだけで、植物栽培容器を池や川、湖などに浮かべて使用することができる。
従って、床面に設置して使用する場合にも、池や川、湖などに浮かべて使用する場合にも、フロート部の内部空間を有効に活用して、利便性の向上を図ることができる。【００２９】
本発明の第１５特徴構成は、第１２〜１４特徴構成のいずれかにおける植物栽培容器の容器本体を複数横方向に並べた状態で、隣接するもの同士を互いに連結可能とする連結部を前記容器本体に備えてあり、一側部に設けた少なくとも一つの前記連結部と他側部に設けた少なくとも一つの前記連結部とで上下方向に異なる位置に夫々配置して、横方向に隣接する前記容器本体の前記連結部同士を上下に重ね合わせた状態で前記容器本体同士を連結可能に構成してある点にある。【００３０】
〔作用及び効果〕
植物栽培容器を池や川、湖などに浮かべて使用する場合には、連結部により横方向に隣接する容器本体同士を連結して複数の植物栽培容器を一体的に浮かべて使用できる。そして、横方向に隣接する容器本体同士を連結するときには、連結部同士を上下に重ね合わせるだけで連結することができ、連結作業の簡素化を図ることができる。また、連結部は、横方向の一側部と他側部のもの同士で上下方向に異なる位置に配置してあるので、横方向の一側部では隣接する容器本体の連結部よりも上側になるように連結部同士を重ね合わせ、且つ、横方向の他側部では隣接する容器本体の連結部よりも下側になるように連結部同士を重ね合わせて、容器本体同士を連結することにより、上下方向における各容器本体の位置を合わせることができる。
【発明を実施するための最良の形態】
【００３１】
以下に本発明の実施の形態を図面に基づいて説明する。【００３２】
〔第１実施形態〕
図１及び図２は、本発明の植物栽培ユニット１の第１実施形態を示している（図１は表側、図２は裏側）。植物栽培ユニット１は、植物Ｐに潅水する水を貯水可能な貯水トレー２、植物Ｐを栽培可能な栽培床材５を収容し得る複数の円形の受部３、及び貯水トレー２の上方を覆うカバー部４とから構成されている。また、図２に示されるように、貯水トレー２には、受部３同士の間にトレー上げ底部２ａが形成されている。
図３は、栽培床材５を受部３に収容した状態において、図１において矢視線Ａで示した植物栽培ユニット１の断面を模式的に示したものである。
尚、栽培床材５としては、例えば、適当な植栽用土がその中に入れられており、且つ底に穴のあいている植木鉢やプランター等、あるいは、植栽用土そのものを栽培床材として使用することが挙げられるが、これらに限定されるものではなく、少なくとも底部から水が流入し、植物の根部が、その流入水を吸水し得る状態で収容され得るものであれば良い。植栽用土は、植物を園芸栽培することができる固形培地であれば如何なるものでもよく、例えば、赤玉土、鹿沼土、腐葉土、ピート、水苔などの天然の植栽用土の他に、バーミキュライト、パーライト、ウレタン樹脂やフェーノール樹脂などの各種発泡樹脂材、ロックウール、ハイドロボールなどの人工の植栽用土が挙げられる。また、その形状も図に例示するものに限らず、ブロック状、砂状、粒状や塊状等各種の形状のものを適宜選択して用いることができる。砂状や粒状あるいは塊状等の形状の培地を用いる場合は、これら培地が漏れ出さない網状の袋等に入れて用いることもできる。【００３３】
貯水トレー２には、隣接する貯水トレー２を互いに連通接続することが可能な接続ノズル６（接続部）が２箇所設けられており、接続ノズル６はさらに、水の流れる方向によって、流入用接続ノズル６ａ（流入用接続部）と流出用接続ノズル６ｂ（流出用接続部）とに区別される。
図３に示されるように、流入用接続ノズル６ａと、別の貯水トレー２の流出用接続ノズル６ｂとは、接続ホース１６を介して、取り外し自在に連通接続することが可能であり、尚且つ接続ホース１６を介して、貯水トレー２から別の貯水トレー２へ水が流れ得る構成となっている。従って、接続ホース１６を介して、貯水トレー２の流入用接続ノズル６ａと、別の貯水トレー２の流出用接続ノズル６ｂとの接続を繰り返して行けば、必要に応じて任意の数の貯水トレー２を連通接続することが可能であり、そのようにして相互に連通接続された複数の貯水トレー２の全てに水を供給することができる。【００３４】
また、図３における矢印は、水の流れる方向を示しており、流入用接続ノズル６ａから流入した水は、一旦貯水トレー２内の貯水空間８に貯水される。尚、貯水空間８とは、接続ノズル６の内周面の最も下側の位置から貯水トレー２の底面の位置までに存在する、水の貯水可能な最大空間を意味する。そして、貯水空間８一杯に貯留水９が貯まると、オーバーフローによって流出用接続ノズル６ｂから流出する。また、受部３の底部３ａには、貯水空間８に連通する貫通口７（給水部）が設けられており、尚且つ底部３ａは、接続ノズル６の内周面の最も下側の位置（すなわち、貯水空間８一杯に水を貯水した際にとり得る貯留水９の最大水位Ｔ）よりも低位置ｔにあるよう構成されている。
従って、貯水空間８に水を流入させてオーバーフローさせる際、貯留水９は、貫通口７を通って受部３の中に湧き出し、貯留水９の水面の高さ（Ｔ）から底部３ａの高さ（ｔ）を差し引いた水位を有する水が受部３内に常時供給される。尚、貯水空間８の深さ、又は受部３の深さや幅を変更することによって、受部３内に供給される水の量を調節し、栽培条件（植物の種類等）に合った適度な量の水を常時供給（潅水）することも可能である。【００３５】
また、カバー部４の上面部における流出用接続ノズル６ｂ側には、貯水空間８を外部に連通する空気抜き部２４を設けている。そして、この空気抜き部２４から貯水空間８に溜まる空気を外部に排出している。従って、空気の滞留によって貯留水９をオーバーフローによって流出用接続ノズル６ｂに流出し難くなるのを防止できるので、複数の貯水トレー２を相互に連通接続した場合には、それら複数の貯水トレー２の全てに対する水の供給を的確に行い易くなる。【００３６】
本発明の植物栽培ユニット１を使用する際は、例えば、緑化する建物の敷地や屋上の広さに合わせて複数の植物栽培ユニット１を接続・配置する。そのようにして組み立てられた植物栽培ユニット群の中には、未接続の流入用接続ノズル６ａと流出用接続ノズル６ｂとがそれぞれ１つずつ存在することになる。そして、その未接続の流入用接続ノズル６ａから水を供給すると、各植物栽培ユニットの貯水トレー２がオーバーフローを順次繰り返すことによって、全ての植物栽培ユニット１に水が供給される。全ての植物栽培ユニットの貯水トレー２が水で一杯になると、未接続の流出用接続ノズル６ｂから水が流出するので、その未接続の流出用接続ノズル６ｂを適当な配管や流水路等につないで排水する。尚、未接続の流入用接続ノズル６ａと流出用接続ノズル６ｂとをホース等でつなぎ、ポンプを介して、適度に外部から水を補給しながら水を循環させるような構成とすることも可能である。【００３７】
本発明の植物栽培ユニット１は、ポリプロピレン樹脂、ポリエチレン樹脂、ポリエチレンテレフタレート（PET）樹脂等の熱可塑性樹脂を用いて、公知の成形技術（射出成形法、ブロー成形法等が挙げられるが、好ましくはブロー成形法）により製造することが可能である。【００３８】
〔第２実施形態〕
図４〜図９は、本発明の植物栽培ユニット１の第２実施形態を示している。
図４に示されるように、第２実施形態の植物栽培ユニット１は、植物に潅水する水を貯水可能な貯水トレー２と、一体成形の植物栽培容器１４（植物Ｐを栽培可能な栽培床材５を収容し得る複数の受部３と、貯水トレー２の上方を覆うカバー部４とが一体成形された一体成形体）とから構成されており、貯水トレー２と植物栽培容器１４は、分離自在に嵌合可能である。【００３９】
図５は、栽培床材５を受部３に収容した状態において、図４において矢視線Ｂで示した第２実施形態の植物栽培ユニット１（貯水トレー２と植物栽培容器１４とが嵌合した状態）の断面を模式的に示したものである。
図４及び図５に示されるように、第２実施形態における植物栽培ユニット１の貯水トレー２には、上述の実施形態と同様に、隣接する貯水トレー２を互いに連通接続することが可能な接続ノズル６（接続部）が２箇所設けられており、接続ノズル６はさらに、水の流れる方向によって、流入用接続ノズル６ａ（流入用接続部）と流出用接続ノズル６ｂ（流出用接続部）とに区別される。
さらに、第２実施形態における貯水トレー２には、植物栽培容器１４を載置可能な載置部１０が設けられており、載置部１０には湧水口１０ａが設けられている。流入用接続ノズル６ａから流入した水は、湧水口１０ａから湧き出して載置部１０上に流れ出し、上述の実施形態と同様に貯水空間８に貯水される。
そして、貯水空間８一杯に貯留水９が貯まると、オーバーフローによって流出用接続ノズル６ｂから流出する。尚、上述の実施形態と同様に、受部３の底部３ａには、貯水空間８に連通する貫通口７（給水部）が設けられており、尚且つ底部３ａは、接続ノズル６の内周面の最も下側の位置（すなわち、貯水空間８一杯に水を貯水した際にとり得る貯留水９の最大水位Ｔ）よりも低位置ｔにあるよう構成されている。また、上述の実施形態と同様に、貯水トレー２の上面部における流出用接続ノズル６ｂ側には、空気抜き部２４を設けている。
従って、貯水空間８に水を流入させてオーバーフローさせる際、湧水口１０ａから湧き出して載置部１０上に流れ出した貯留水９は、貫通口７を通って受部３の中に湧き出し、貯留水９の水面の高さ（Ｔ）から底部３ａの高さ（ｔ）を差し引いた水位を有する水が受部３内に常時供給される。尚、貯水空間８の深さ、載置部１０の高さ、あるいは受部３の深さや幅を変更することによって、受部３内に供給される水の量を調節し、栽培条件（植物の種類等）に合った適度な量の水を常時供給（潅水）することも可能である。
尚、第２実施形態における複数の植物栽培ユニット１（貯水トレー２）の接続方法、使用方法並びにその製造方法は、上述した実施形態と同様である。【００４０】
植物栽培容器１４は、図５に示すように、底部の外方側部分において下方側から上方側に折り返すことにより二重壁部２５を設けて中央側部分を上げ底することにより下方側を開放した凹状に形成している。そして、二重壁部２５で囲む空間に貯水トレー２を配置させることによって、貯水トレー２の全体を植物栽培容器１４にて覆うようにしている。従って、貯水トレー２における貯水空間８の全体を植物栽培容器１４にて覆うことができるので、貯水空間８の全体において植物栽培容器１４による遮光効果を得ることができ貯留水中での藻類の発生を効果的に抑制することができる。【００４１】
植物栽培容器１４と貯水トレー２とを嵌合するために、貯水トレー２には第１嵌合部２６が設けられ、植物栽培容器１４には第２嵌合部２７が設けられている。第１嵌合部２６は、貯水トレー２の外周部においてその上方側部分を外側に突出した凸状に形成している。第２嵌合部２７については、植物栽培容器１４の二重壁部２５において内方側に突出した凸部２７ａを設け、その凸部２７ａの上方に形成された凹状部を第２嵌合部２７としている。そして、第１嵌合部２６と第２嵌合部２７とを嵌合させて植物栽培容器１４を貯水トレー２に装着するようにしている。
第２嵌合部２７における凸部２７ａは、植物栽培容器１４の二重壁部２５に設けているので、植物栽培容器１４において剛性を高めた部分に第２嵌合部２７を設けている。従って、第１嵌合部２６と第２嵌合部２７との嵌合が外れ難く、植物栽培容器１４を貯水トレー２に的確に装着し易くなる。【００４２】
植物栽培容器１４は、その内部を中空状に成形してあり、その内部空間を外部に連通する開口部２８を設けている。この開口部２８には、その開口部２８を閉塞する蓋部材２９を着脱自在に設けている。そして、蓋部材２９を取り外して開口部２８から水や砂などを植物栽培容器１４の内部空間に注入して蓋部材２９を装着することにより植物栽培容器１４を錘として利用することができる。従って、屋上などに設置した場合でも、風などによる植物栽培容器１４の移動や転倒を抑制できる。そして、植物栽培容器１４を持ち運ぶときには、蓋部材２９を取り外して開口部２８から注入した水や砂などを取り除くことにより、容易に持ち運ぶことができる。【００４３】
また、図６に示すように、植物栽培容器１４に浮力を付与し得るフロート部１３（空気を閉じ込めた空間）を設け、植物栽培容器１４が、池や川、湖などの水面１５に浮揚し得る構成とすることも可能である。
尚、植物栽培容器１４の有する浮力は、その受部３に栽培床材５を収容した状態で、受部３の底部３ａが、水面１５よりも低位置にあるように調整されおり、その浮力を調整することによって、受部３内に供給される水の量を調節することも可能である。【００４４】
植物栽培容器１４は、受部３及びフロート部１３を有した一体成形品として構成されている。そして、フロート部１３は、受部３の底部３ａが池や川、湖などの水面１５よりも低位置になるように植物栽培容器１４を浮揚可能とするように構成している。つまり、中空状の植物栽培容器１４の内部空間に空気を充填して蓋部材２９にて開口部２８を閉塞することにより、植物栽培容器１４にフロート部１３を形成してある。
植物栽培容器１４は、受部３を備えた中央側部分を上げ底して下方側を開放した凹状に形成しており、植物栽培容器１４の容器本体の縁部を受部３の底部３ａよりも低位置となるように構成している。そして、受部３の周部にフロート部１３を形成することにより、受部３の底部３ａよりも低位置までフロート部１３を形成できるようにしている。従って、フロート部１３にて得られる浮力をより大きくすることができ、受部３の底部３ａが池や川、湖などの水面１５よりも低位置になり過ぎて、植物Ｐへの水の供給量が過剰になるのを抑制することができる。【００４５】
このようにして、植物栽培ユニット１を池や川、湖などに浮かべて使用することができる。この場合、植物栽培容器１４には、隣接する植物栽培容器１４を互いに接続することができるように連結部１１が設けられており、連結部１１は孔１１ａを有する。接続する際は、隣接する植物栽培容器１４の互いの連結部１１同士を重ねて、孔１１ａの位置を合わせ、重なり合った２つの孔１１ａを貫通し得る適当な連結部材１２（ボルトなど）を内嵌して連結することが可能である。【００４６】
連結部１１は、カバー部４に備えてあり、平面視にて矩形状に形成された植物栽培容器１４の４辺のそれぞれにおいてその中央部分に配置している。連結部１１は、図６に示すように、一側部に設けた連結部１１と他側部に設けた連結部１１とで上下方向に異なる位置に夫々配置して、横方向（水平方向）に隣接する植物栽培容器１４の連結部１１同士を上下に重ね合わせた状態で植物栽培容器１４同士を連結可能に構成している。そして、横方向（水平方向）に隣接する植物栽培容器１４を連結するときには、横方向（水平方向）の一方側（図６中上側）では隣接する植物栽培容器１４の連結部１１よりも上側になるように連結部１１同士を重ね合わせ、且つ、横方向（水平方向）の他方側（図６中下側）では隣接する植物栽培容器１４の連結部１１よりも下側になるように連結部１１同士を重ね合わせて、植物栽培容器１４同士を連結することにより、上下方向における各植物栽培容器１４の位置を合わせるようにしている。【００４７】
また、連結部１１は、植物栽培容器１４の外側部において内方側に凹入した部分において水平方向に延びるように設けられている。そして、横方向（水平方向）に隣接する植物栽培容器１４を連結するときには、連結部１１同士を重ね合わせることにより植物栽培容器１４の容器本体同士が接触する状態で連結するようにしている。従って、複数の植物栽培容器１４のそれぞれに備えたフロート部１３の浮力を協同して得ることができ、複数の植物栽培容器１４を一体的に浮揚させることができる。また、植物栽培容器１４の容器本体において、一側部に備える連結部１１の上面又は下面が、他側部に備える連結部１１の下面又は上面と略同一高さになるように配置している。従って、上下方向における各植物栽培容器１４の位置を合わせながら、植物栽培容器１４の容器本体同士が接触する状態で連結することができる。【００４８】
また、図７〜図９は、第２実施形態の別形態を示したものである。すなわち、図７に示すように、別形態の植物栽培容器１４においては、受部３の幅をより大きなものとして、その底部３ａに複数（図７においては３箇所だが、これに限定されるものではない）の貫通口７を設ける構成としている（上記図４においては、植物栽培容器１４において、１つの受部３に対して、一つの貫通口７を設ける構成としている）。
図８は、図７において矢視線Ｃで示した第２実施形態の植物栽培ユニット１（貯水トレー２と植物栽培容器１４とが嵌合した状態）の断面を模式的に示したものである。図８に示すように、貯水トレー２には、トレー上げ底部２ａが形成されており、必要最小限の貯水空間８を設けることによって、使用する水を節約することができる。尚、上述の実施形態と同様に、植物栽培容器１４の開口部２８には、その開口部２８を閉塞する蓋部材２９が着脱自在に設けられている。
この第２実施形態の別形態では、上述の実施形態と同様に、貯水トレー２に第１嵌合部２６を設け且つ植物栽培容器１４に第２嵌合部２７を設けているが、図４〜図６に示すものとは配設位置及び形状を変更している。すなわち、図８に示すように、第１嵌合部２６は、貯水トレー２の上面部のうち、水平方向の両端部及び中央部を上方に突出した凸部にて構成している。また、第２嵌合部２７は、植物栽培容器１４の底部のうち、水平方向の両端部分及び中央部を上げ底にした凹部にて構成している。そして、凸状の第１嵌合部２６と凹状の第２嵌合部２７とが嵌合するように、植物栽培容器１４を貯水トレー２上に載置することにより、植物栽培容器１４を貯水トレー２に装着するようにしている。
図９は、図７及び図８にて示した植物栽培容器１４を池や川、湖などの水面１５に浮揚させている場合を示している。この場合も、上述の実施形態と同様に、フロート部１３は、受部３の底部３ａが池などの水面１５よりも低位置になるように植物栽培容器１４を浮揚可能とするように構成してあり、植物栽培容器１４には、上述の実施形態と同様に、横方向（水平方向）に隣接する植物栽培容器１４と連結可能とする連結部１１を設けている。【００４９】
図１０は、図７〜図９にて示した植物栽培ユニット１の別形態を示したものである。すなわち、図１０に示すように、貯水トレー２の湧水口１０ａを、植物栽培容器１４を貯水トレー２に装着した状態において、受部３の底部３ａに設けた貫通口７と横方向に異なる位置となるように配置している（上記図７及び図８においては、貯水トレー２の湧水口１０ａを、植物栽培容器１４を貯水トレー２に装着した状態において、受部３の底部３ａに設けた貫通口７と横方向に同じ位置となるように配置している）。このように、湧水口１０ａと貫通口７とを横方向に異なる位置とすることにより、植物Ｐの根が貫通口７を通過しても湧水口１０ａを通して貯水空間８に侵入するのを抑制している。従って、貯水空間８において植物Ｐの根が抵抗となって貯留水９の流れが阻害されるのを防止することができる。【００５０】
〔第３実施形態〕
図１１（Ａ）、（Ｂ）及び図１２は、本発明の植物栽培ユニット１の第３実施形態を示している。図１１（Ａ）に示されるように、植物栽培ユニット１は、上述の実施形態と同様に、植物に潅水する水を貯水可能な貯水トレー２、植物を栽培可能な栽培床材を収容し得る複数の円形の受部３、及び貯水トレー２の上方を覆うカバー部４とから構成されている。
貯水トレー２には、隣接する貯水トレー２を互いに連通接続することが可能な接続ノズル６（接続部）が２箇所設けられており、接続ノズル６はさらに、水の流れる方向によって、流入用接続ノズル６ａ（流入用接続部）と流出用接続ノズル６ｂ（流出用接続部）とに区別される。
さらに、貯水トレー２には、取付け部１７（取付け凸部１７ａ及び取付け凹部１７ｂ）が設けられており、取付け凸部１７ａは、壁面１８に予め取付けられている本体取付け金具１９に掛止可能であり、また、取付け凹部１７ｂは、同じく壁面１８に予め取付けられている保護カバー取付け金具２０に掛止可能に構成してある。
すなわち、第３実施形態における植物栽培ユニット１は、図１１（Ａ）に示されるように、取付け凸部１７ａと取付け凹部１７ｂとをそれぞれ、本体取付け金具１９と保護カバー取付け金具２０に掛止することによって、壁面１８に設置することができる。尚、本体取付け金具１９と取付け凸部１７ａには、ボルトが貫通し得るボルト孔２３がそれぞれ設けられており、それぞれのボルト孔２３を合わせて、本体取付け金具１９に取付け凸部１７ａを取付け、ボルト孔２３に適当な長さのボルトを通し、本体取付け金具１９の反対側からナット等を取付けて固定すれば、植物栽培ユニット１を壁面１８により確実に固定することができる。
また、保護カバー取付け金具２０には、保護カバー部材２１（保護カバー部材を構成する材質としては、例えば、ステンレス、ＦＲＰ（強化プラスチック）等が挙げられる）がヒンジ連結されており、上下に揺動し得る構成となっている。尚、保護カバー部材２１には、複数の開口部２１ａと、係止部２１ｂが設けられている。
図１１（Ａ）及び（Ｂ）に示されるように、第３実施形態の植物栽培ユニット１においては、その取付け部１７を本体取付け金具１９と保護カバー取付け金具２０に掛止した後、植物栽培ユニット１を覆うように保護カバー部材２１を上方に持ち上げて、保護カバー部材の係止部２１ｂを植物栽培ユニット１の上面部に設けられている段差（被係止部２２）に引掛けて固定することができるように構成されている。
このとき、図１１（Ｂ）に示されるように、保護カバー部材２１における開口部２１ａの位置と大きさは、植物栽培ユニット１の受部３を塞がないように、受部３の位置と大きさに合わせて設けられている。
また、図１２は、第３実施形態の別形態を示したものである。すなわち、この別形態の植物栽培ユニット１においては、受部３の幅をより大きなものとして、その底部３ａに複数（図１２においては３箇所だが、これに限定されるものではない）の貫通口７を設ける構成としている（上記図１１においては、植物栽培ユニット１において、１つの受部３に対して、一つの貫通口７を設ける構成としている）。【００５１】
〔その他の実施形態〕
１．上述の実施形態における植物栽培ユニットの形状（円形、四角形、六角形など）、あるいは、植物栽培ユニットの内部に配置される受部の形状や個数については、特に制限は無く、必要に応じて任意の構成を採用することができる。
２．上述の実施形態においては、接続ホースを介して複数の植物栽培ユニットを連通接続する構成としているが、これに限定されるものではなく、接続ノズル同士を直接連通接続するような構成としても良い。
３．本発明の植物栽培ユニットに設けられる接続ノズル（接続部）の設置位置やその数は、上述の実施形態に限定されるものでなく、オーバーフローによって適切な給水・排水が可能な構成であるならば、その設置位置や数については任意である。従って例えば、植物栽培ユニットの形状が四角形であり、各辺の中央部に合計４箇所の接続ノズルを設ける構成とした場合、接続ノズルを上述の実施形態のように２箇所しか設けていない植物栽培ユニットに比べて、その植物栽培ユニットを複数接続した際に形成される全体形状のバリエーションを増やすことができるので、建物の敷地や屋上の広さ又はその形状に合わせて本発明の植物栽培ユニットを設置する作業がより容易になる。尚、未接続（未使用）の接続ノズルについては、適宜、適当な栓を設けるなどして水が流れないようにしても良い。
【産業上の利用可能性】
【００５２】
本発明は、植物の根部を収容し得る受部をその内部に配置可能で且つ水を貯水可能な貯水トレーを備え、前記貯水トレー内の貯水空間と前記受部とが給水部により連通しており、前記貯水空間に貯水された水が、前記給水部を介して前記植物に供給され得る各種の植物栽培ユニット、及び、植物の根部を収容し得る受部を備え、前記受部に連通する給水部を設けて、その給水部を介して前記植物に給水自在にしてある各種の植物栽培容器に適応することができる。
【図面の簡単な説明】
【００５３】
【図１】本発明の第１実施形態の植物栽培ユニットの表側の外観斜視図
【図２】本発明の第１実施形態の植物栽培ユニットの裏側の外観斜視図
【図３】本発明の第１実施形態の植物栽培ユニットの断面図
【図４】本発明の第２実施形態の植物栽培ユニットの外観斜視図
【図５】本発明の第２実施形態の植物栽培ユニットの断面図
【図６】本発明の第２実施形態の植物栽培ユニットの断面図
【図７】本発明の第２実施形態（別形態）の植物栽培ユニットの外観斜視図
【図８】本発明の第２実施形態（別形態）の植物栽培ユニットの断面図
【図９】本発明の第２実施形態（別形態）の植物栽培容器の断面図
【図１０】本発明の第２実施形態（別形態）の植物栽培ユニットの断面図
【図１１】本発明の第３実施形態の植物栽培ユニットの外観斜視図
【図１２】本発明の第３実施形態（別形態）の植物栽培ユニットの外観斜視図
【符号の説明】
【００５４】
１  植物栽培ユニット
２  貯水トレー
２ａ  トレー上げ底部
３  受部
３ａ  底部
４  カバー部
５  栽培床材
６  接続ノズル
６ａ  流入用接続ノズル
６ｂ  流出用接続ノズル
７  貫通口
８  貯水空間
９  貯留水
１０  載置部
１０ａ  湧水口
１１  連結部
１１ａ  孔
１２  連結部材
１３  フロート部
１４  植物栽培容器
１５  水面
１６  接続ホース
１７  取付け部
１７ａ  取付け凸部
１７ｂ  取付け凹部
１８  壁面
１９  本体取付け金具
２０  保護カバー取付け金具
２１  保護カバー部材
２１ａ  開口部
２１ｂ  係止部
２２  被係止部
２３  ボルト孔
２４  空気抜き部
２５  二重壁部
２６  第１嵌合部
２７  第２嵌合部
２７ａ  凸部
２８  開口部
２９  蓋部材
【図１】
2007063815.tif 000003
【図２】
2007063815.tif 000004
【図３】
2007063815.tif 000005
【図４】
2007063815.tif 000006
【図５】
2007063815.tif 000007
【図６】
2007063815.tif 000008
【図７】
2007063815.tif 000009
【図８】
2007063815.tif 000010
【図９】
2007063815.tif 000011
【図１０】
2007063815.tif 000012
【図１１】
2007063815.tif 000013
【図１２】
2007063815.tif 000014
【国際調査報告】
2007063815.tif 000015
2007063815.tif 000016
2007063815.tif 000017
2007063815.tif 000018
2007063815.tif 000019
2007063815.tif 000020
2007063815.tif 000021